(57)【要約】【課題】  既存の建て枠を利用して簡単に移動できる枠組足場の先行手摺り枠およびその盛替え方法を提供することである。【解決手段】  枠組足場の先行手摺り枠１は、手摺り枠体２の縦杆９間に架設された下部水平杆３にケース本体４が設けられ、該ケース本体４に操作レバー５の下端部が支軸１４で回転自在に設けられ、該支軸１４を挟んだ操作レバー５の上下部には、下部水平杆３と平行な上部スライドバー６の基端部と、下部スライドバー７の基端部とがそれぞれ接続され、この上部スライドバー６と下部スライドバー７の先端部には建て枠１９の脚柱２２に嵌め込まれる嵌合金具８が設けられ、両縦杆９には、連結材１６で上部スライドバー６または下部スライドバー７と接続され、このスライドバー６、７のスライドによって回転するガイド金具１０が設けられ、該ガイド金具１０上部の縦杆９には、建て枠１９の横杆２１に掛け止めされる掛止金具１１が設けられたものである。【選択図】図１
2005213746.tif 000002
【特許請求の範囲】
【請求項１】
手摺り枠体の縦杆間に架設された下部水平杆にケース本体が設けられ、該ケース本体に操作レバーの下端部が支軸で回転自在に設けられ、該支軸を挟んだ操作レバーの上下部には、下部水平杆と平行な上部スライドバーの基端部と、下部スライドバーの基端部とがそれぞれ接続され、この上部スライドバーと下部スライドバーの先端部には建て枠の脚柱に嵌め込まれる嵌合金具が設けられ、両縦杆には、連結材で上部スライドバーまたは下部スライドバーと接続され、このスライドバーのスライドによって回転するガイド金具が設けられ、該ガイド金具上部の縦杆には、建て枠の横杆に掛け止めされる掛止金具が設けられたことを特徴とする枠組足場の先行手摺り枠。
【請求項２】
縦杆は中途部から手前側に折り曲げられたことを特徴とする請求項１に記載の枠組足場の先行手摺り枠。
【請求項３】
縦杆と水平杆とからなる枠体と、この枠体の内側に取り付けられた補強杆とから構成され、前記縦杆および補強杆が中途部から手前側に折り曲げられた先行手摺り枠体を、縦杆に設けた掛止金具で建て枠の横杆に掛け止めして、一段目の建て枠に取り付けた後、前記先行手摺り枠で作業の安全性を確保しつつ、二段目の建て枠を一段目の建て枠に取り付け、この二段目の建て枠によって作業の安全性を確保した後に、建て枠から外側に身を乗り出すことなく手前側に折り曲げられた箇所で先行手摺り枠体を一段目の建て枠から取り外して二段目の建て枠に取り付けることを特徴とする枠組足場の先行手摺り枠の盛替え方法。
【発明の詳細な説明】
【技術分野】
【０００１】
本発明は枠組足場の先行手摺り枠およびその盛替え方法に関するものである。
【背景技術】
【０００２】
枠組足場の先行手摺り枠としては、例えば特開２００３−３２８５５５号の発明が知られている。これは、手摺枠本体が、建て枠の建地に沿って設置されたガイドレール間を上下方向に自由にスライドするものであり、手摺枠本体の両端部にはガイドレールに係合するガイド部材が設けられて、上記の上下動をスムーズにしている。
【特許文献１】特開２００３−３２８５５５号公報
【発明の開示】
【発明が解決しようとする課題】
【０００３】
しかし、上記の先行手摺り枠は、別個にガイドレールを必要とするため、既存の建て枠を利用することができないという問題があった。
【０００４】
本発明は上記のような問題に鑑みてなされたものであり、その目的は、既存の建て枠を利用して簡単に移動できる枠組足場の先行手摺り枠およびその盛替え方法を提供することである。
【課題を解決するための手段】
【０００５】
本発明の枠組足場の先行手摺り枠は、手摺り枠体の縦杆間に架設された下部水平杆にケース本体が設けられ、該ケース本体に操作レバーの下端部が支軸で回転自在に設けられ、該支軸を挟んだ操作レバーの上下部には、下部水平杆と平行な上部スライドバーの基端部と、下部スライドバーの基端部とがそれぞれ接続され、この上部スライドバーと下部スライドバーの先端部には建て枠の脚柱に嵌め込まれる嵌合金具が設けられ、両縦杆には、連結材で上部スライドバーまたは下部スライドバーと接続され、このスライドバーのスライドによって回転するガイド金具が設けられ、該ガイド金具上部の縦杆には、建て枠の横杆に掛け止めされる掛止金具が設けられたことを特徴とする。また縦杆は中途部から手前側に折り曲げられたことを含むものである。
また枠組足場の先行手摺り枠の盛替え方法は、縦杆と水平杆とからなる枠体と、この枠体の内側に取り付けられた補強杆とから構成され、前記縦杆および補強杆が中途部から手前側に折り曲げられた先行手摺り枠体を、縦杆に設けた掛止金具で建て枠の横杆に掛け止めして、一段目の建て枠に取り付けた後、前記先行手摺り枠で作業の安全性を確保しつつ、二段目の建て枠を一段目の建て枠に取り付け、この二段目の建て枠によって作業の安全性を確保した後に、建て枠から外側に身を乗り出すことなく手前側に折り曲げられた箇所で先行手摺り枠体を一段目の建て枠から取り外して二段目の建て枠に取り付けることを特徴とする。
【発明の効果】
【０００６】
操作レバーの操作によって建て枠の脚柱から嵌合金具とガイド金具とが外れるので、上に持ち上げるだけで先行手摺り枠を建て枠から簡単に取り外すことができる一方、上記と反対の操作で上部の建て枠に簡単に取り付けることができる。また縦杆が中途部から手前側に折り曲げられたことにより、作業者が先行手摺り枠の外側に身を乗り出さずに、手前側で取り外し作業をすることができるので、落下を防ぎ安全である。
【発明を実施するための最良の形態】
【０００７】
以下、この枠組足場の先行手摺り枠（以下、先行手摺り枠という）を図１〜図５に基づいて説明する。
この先行手摺り枠１は、図１および図２に示すように、手摺り枠体２の下部水平杆３のケース本体４に設けた操作レバー５と、該操作レバー５に基端部を接続した上部スライドバー６および下部スライドバー７と、これらのスライドバー６、７の先端部に設けられた嵌合金具８と、両縦杆９に回転自在に設けられたガイド金具１０と、建て枠の横杆に掛け止めされる掛止金具１１とから構成されている。
【０００８】
手摺り枠体２は、図３および図５に示すように、縦杆９と水平杆３とからなる枠体１２と、この水平杆３にわたって取り付けられた補強杆１３とから構成され、縦杆９および補強杆１３が中途部から手前側に折り曲げられている。
【０００９】
この手摺り枠体２における下部水平杆３の中央部にはケース本体４が設けられ、該ケース本体４に操作レバー５の下端部が支軸１４で回転自在に取り付けられている（図６参照）。また支軸１４を挟んだ上下の操作レバー５には、下部水平杆３と平行な上部スライドバー６と、下部スライドバー７の基端部が回転自在に接続され、これら上下のスライドバー６、７の先端側が縦杆９下部の筒体１５にスライド自在に挿入されている。また、これら上下のスライドバー６、７の先端部には、図４の（１）に示すように、建て枠の脚柱２に嵌合される平面Ｕ字形の嵌合金具８が取り付けられている。したがって、この操作レバー５を、図１および図２に示すように、左右に回転させると、上下のスライドバー６、７がスライドして嵌合金具８が飛び出したり、引っ込んだりする。
【００１０】
また、左右の縦杆９に設けたガイド金具１０も建て枠の脚柱に嵌め込みできるように平面Ｕ字形に形成され（図４の（２）参照）、右側のガイド金具１０は連結材１６で上部スライドバー６に、左側のガイド金具１０は連結材１６で下部スライドバー７にそれぞれ接続されている。したがって、図１および図２に示すように、操作レバー５の回転操作によるスライドバー６、７のスライドによって、ガイド金具１０が上下に回転して、脚柱に嵌め込まれたり、脚柱から外れたりするようになっている。
【００１１】
また、ガイド金具１０の上方の縦杆９には、図１および図２に示すように、建て枠の横杆に掛け止めされる半円形の掛止金具１１が内側に引っ込んだ状態で設けられ、該掛止金具１１にはロック片１７が回転自在に設けられている。このロック片１７は支軸１８を中心に回転して、掛止金具１１の半円を閉塞することにより、横杆から外れるのを防ぐものであり、手動によって自在に回転できるようになっている。
【００１２】
なお、上記の実施の形態において、縦杆９および補強杆１３は手前側に折り曲げられているが、手前側に折り曲げられていない縦杆９および補強杆１３であってもよい。
【００１３】
次に、図７に基づいて先行手摺り枠１の移動方法について説明する。図７の（１）において、左側は一段目の建て枠１９に先行手摺り枠１を取り付けて作業する状態を示し、真ん中は先行手摺り枠１を取り付けた状態で、一段目の建て枠１９に二段目の建て枠２０を継ぎ足した状態を示し、右端は先行手摺り枠１を取り外して、二段目の建て枠２０に先行手摺り枠１を取り付ける状態を示したものである。
【００１４】
はじめに、図７の（１）における右側に示したように、一段目の建て枠１９に先行手摺り枠１を取り付ける。これは建て枠１９の横杆２１に掛止金具１１を掛け止めして、ロック片１７でロックする。そして、操作レバー５を右側に倒すと、上下のスライドバー６、７が外側にスライドして嵌合金具８が建て枠の脚柱２２に嵌め込まれるとともに、ガイド金具１０が下側から上側に回転されて建て枠の脚柱２２に嵌め込まれる。そして、操作レバー５を収納部２３に収納する。この状態で先行手摺り枠１は、掛止金具１１と、嵌合金具８と、ガイド金具１０とによって建て枠１９にしっかりと取り付けられる。このとき、縦杆９が手前側に折り曲げられているため、作業者は建て枠から外側に身を乗り出すことなく作業をすることができる。
【００１５】
次に、同図の中央に示したように、この先行手摺り枠１で作業の安全性を確保しつつ、二段目の建て枠２０を一段目の建て枠１９に取り付け、この二段目の建て枠２０によって作業の安全性を確保する。そして、この二段目の建て枠２０で作業の安全性を確保した後に、操作レバー５を左側に回転させて倒し、上下のスライドバー６、７を内側にスライドさせて嵌合金具８を建て枠１９の脚柱２２から取り外すとともに、ガイド金具１０を下側に回転させて建て枠の脚柱２２から取り外す。次に、掛止金具１１のロック片１７を回転させてロックを解除する。この状態で先行手摺り枠１は掛止金具１１だけで建て枠１９に取り付けられており、容易に取り外しできるようになっている。そして、図示するように、作業者が先行手摺り枠１を上に持ち上げると、建て枠１９から簡単に外れる。
【００１６】
次に、図の左側に示すように、建て枠１９から取り外した先行手摺り枠１を頭上に押し上げて二段目の建て枠２０に取り付ける。この取り付けは、上記の一段目の建て枠１９に取り付けた方法と同じ方法で取り付けるものである。このような方法によって、先行手摺り枠１を上側に取り付けながら建て枠２０を上側に組み立てる。
【００１７】
なお、先行手摺り枠１の解体は、上記と反対の手順で行うものであり、組み立てと同じように簡単かつ安全に行うことができる。
【図面の簡単な説明】
【００１８】
【図１】先行手摺り枠の正面図である。
【図２】操作レバーを操作した先行手摺り枠の正面図である。
【図３】先行手摺り枠の平面図である。
【図４】図１のＡ−Ａ線断面図である。
【図５】先行手摺り枠の側面図である。
【図６】先行手摺り枠の要部の拡大断面図である。
【図７】先行手摺り枠の取付方法を示すものであり、（１）は正面図、（２）は側面図である。
【符号の説明】
【００１９】
１  先行手摺り枠
２  手摺り枠体
３  下部水平杆
４  ケース本体
５  操作レバー
６  上部スライドバー
７  下部スライドバー
８  嵌合金具
９  縦杆
１０  ガイド金具
１１  掛止金具
１２  枠体
１３  補強杆
１４、１８  支軸
１５  筒体
１６  連結材
１７  ロック片
１９、２０  建て枠
２１  横杆
２２  脚柱
２３  収納部
【図１】
2005213746.tif 000003
【図２】
2005213746.tif 000004
【図３】
2005213746.tif 000005
【図４】
2005213746.tif 000006
【図５】
2005213746.tif 000007
【図６】
2005213746.tif 000008
【図７】
2005213746.tif 000009